(57)【要約】【課題】  下ケースから上ケースを容易に外して開封することができる容器を提供する。【解決手段】  下ケース１０に嵌合部１５と嵌合解除部１６が形成され、上ケース２０に嵌合部２５が形成されている。規制構造部として、下ケース１０に規制凹部１８が、上ケース２０に規制凸部２８が形成されている。下ケース１０の基準マークである突出部１２と上ケース２０の基準マークである突出部２２を合わせて上ケース２０を押し下げると、嵌合部１５と嵌合部２５が嵌合する。上ケース２０をα方向へ回動させると、嵌合部１５と嵌合部２５の嵌合が外れ、上ケース２０を持ち上げることができる。【選択図】図４
2018090296.tif 000002
【特許請求の範囲】
【請求項１】
下ケースと上ケースとが着脱自在に組み合わされた容器において、
前記下ケースと前記上ケースとの間に、
前記下ケースに対して前記上ケースを、連結位置と連結解除位置との間で所定角度だけ回動自在とする回動規制構造と、
前記連結位置で前記下ケースと前記上ケースとを嵌合させる嵌合部と、前記連結解除位置で前記嵌合を解除する嵌合解除部と、が設けられていることを特徴とする容器。
【請求項２】
前記下ケースと前記上ケースの双方に、
前記連結位置で互いに一致する基準マークが設けられている請求項１記載の容器。
【請求項３】
前記基準マークは、前記下ケースと前記上ケースの双方から突出する突出部である請求項２記載の容器。
【請求項４】
前記下ケースは前記上ケースよりも高さ寸法が低く、前記下ケースでは、前記突出部が、前記下ケースの下端部から突出している請求項３記載の容器。
【請求項５】
前記基準マークを一致させた状態で、前記上ケースを前記下ケースに向けて押し込むことで、前記嵌合部が嵌合状態となる請求項２ないし４のいずれかに記載の容器。
【発明の詳細な説明】
【技術分野】
【０００１】
本発明は、下ケースと上ケースとが着脱自在に嵌合する容器に関する。
【背景技術】
【０００２】
ケーキや和菓子などを内容物とする容器として、高さ寸法の小さい下ケースの上に内容物を載せ、高さ寸法の大きい上ケースを、凹凸嵌合部を介して下ケースに仮固定するものが使用されている。この容器を開封するときは、上ケースを持ち上げて前記凹凸嵌合部を強制的に分離させる必要がある。このとき、凹凸嵌合部を離脱させるための抵抗力が大きいと、上ケースを持ち上げたときに、上ケースが振れて動きやすく、その結果、上ケースの内面で内容物を損傷しやすい欠点がある。
【０００３】
以下の特許文献１に記載された食品容器は、ソフトクリームアイスが載せられたコーン菓子を収容する容器と、ソフトクリームアイスを被覆するかぶせ蓋とを有している。容器には、周方向９０度間隔で４か所に凸部が形成されており、かぶせ蓋には、周方向９０度間隔で４か所に凹部が形成されている。
【０００４】
食品製造工程では、かぶせ蓋の各凹部と容器に形成された各凸部の周方向位置を一致させた状態で、蓋かぶせ作業を行う。また、かぶせ蓋を容器から外すときは、片手で容器を保持し、他方の手でかぶせ蓋を把持して周方向へ回し、凸部と凹部の嵌合状態を解除させ、かぶせ蓋を引き上げて、ソフトクリームアイスを露出させる、ものとなっている。
【先行技術文献】
【特許文献】
【０００５】
【特許文献１】特開２００２−３０２１３４号公報
【発明の概要】
【発明が解決しようとする課題】
【０００６】
しかしながら、特許文献１に記載されている食品容器は、容器とかぶせ蓋の相対位置を決める位置決め構造を有していないため、食品製造工程では、各凸部と各凹部を周方向へ位置決めするための作業が煩雑である。
【０００７】
また、開封時に、容器とかぶせ蓋とを相対的に回動させる際にも、かぶせ蓋の回動角度を規制する構造を有していないため、例えば、かぶせ蓋を勢いよく回し、かぶせ蓋の凹部を容器の凸部を外したときに、凹部が、別の凸部に嵌合して、かぶせ蓋を外せないこともあり得る。
【０００８】
本発明は上記従来の課題を解決するものであり、内容物に当たらないように上ケースを下ケースから外すことができ、しかも下ケースに対して上ケースが過剰に回動するのを規制できる容器を提供することを目的としている。
【課題を解決するための手段】
【０００９】
本発明は、下ケースと上ケースとが着脱自在に組み合わされた容器において、
前記下ケースと前記上ケースとの間に、
前記下ケースに対して前記上ケースを、連結位置と連結解除位置との間で所定角度だけ回動自在とする回動規制構造と、
前記連結位置で前記下ケースと前記上ケースとを嵌合させる嵌合部と、前記連結解除位置で前記嵌合を解除する嵌合解除部と、が設けられていることを特徴とするものである。
【００１０】
本発明の容器は、前記下ケースと前記上ケースの双方に、前記連結位置で互いに一致する基準マークが設けられていることが好ましい。
【００１１】
例えば、前記基準マークは、前記下ケースと前記上ケースの双方から突出する突出部である。
【００１２】
本発明の容器は、例えば、前記下ケースは前記上ケースよりも高さ寸法が低く、前記下ケースでは、前記突出部が、前記下ケースの下端部から突出しているものである。
【００１３】
本発明の容器は、前記基準マークを一致させた状態で、前記上ケースを前記下ケースに向けて押し込むことで、前記嵌合部を嵌合状態とすることが可能である。
【発明の効果】
【００１４】
本発明の容器は、下ケースに対して上ケースを回動させるときに、回動規制構造によって、回動角度が連結位置と連結解除位置との間で規制されるため、開封時に、上ケースが過剰に回動することがなく、内容物を損傷させることなく上ケースを取り外すことができる。
【００１５】
また、下ケースと上ケースとに基準マークを設け、基準マークが一致しているときに、両ケースが嵌合位置となることで、両ケースが嵌合状態であるか否かを確認できる。また、容器嵌合作業では、下ケースと上ケースの相対位置を容易に位置決めして嵌合状態に設定できる。
【図面の簡単な説明】
【００１６】
【図１】本発明の実施の形態の容器を示す分解斜視図、
【図２】（Ａ）本発明の実施の形態の容器を構成する下ケースの平面図、（Ｂ）は下ケースの正面図、
【図３】（Ａ）本発明の実施の形態の容器を構成する上ケースの平面図、（Ｂ）は上ケースの正面図、
【図４】（Ａ）は本発明の実施の形態の容器の回動規制構造および嵌合部と嵌合解除部を拡大して示す部分分解斜視図、（Ｂ）は嵌合部の嵌合状態を説明する部分断面の概略図、
【発明を実施するための形態】
【００１７】
図１に示す容器１は、下ケース１０と上ケース２０とが組み合わされて構成されている。下ケース１０と上ケース２０は、ＰＥＴやＰＰなどの合成樹脂のシートを使用し、圧空成形法などで成形されたものである。上ケース２０は透明であり、下ケースは着色されている。この容器１は、例えばケーキや和菓子などの立体的な食品を収容するために使用される。
【００１８】
図２（Ａ）（Ｂ）に示すように、下ケース１０は、下部に高さ寸法の小さい円筒状の台座部１１が形成され、台座部１１の下端部、すなわち下ケースの下端部から周囲の４方向へ突出部１２が延び出ている。４か所の突出部１２は、それぞれが下ケース１０側の基準マークとして使用される。
【００１９】
下ケース１０では、台座部１１が上面１１ａを有しており、上面１１ａから上方に向けて高さ寸法の小さい案内円筒部１３が立ち上がっている。さらに、案内円筒部１３から上方に掛止部１４が立ち上がっている。掛止部１４には、周方向（回動方向）に向けて、下ケース１０側の嵌合部１５およびこれと並ぶ嵌合解除部１６が交互に配置されている。図２（Ａ）に示すように、嵌合部１５と嵌合解除部１６は、それぞれが４５度の角度間隔で、８か所に形成されている。
【００２０】
図２（Ｂ）と図４（Ａ）（Ｂ）に示すように、下ケース１０側の嵌合部１５は、下ケース１０の外側に向けて案内円筒部１３と同じ位置まで突出する嵌合凸部１５ａと、嵌合凸部１５ａと案内円筒部１３との間で、下ケース１０の内方に向けて窪む嵌合凹部１５ｂとを有している。嵌合部１５に隣接している嵌合解除部１６は、嵌合凹部１５ｂよりもさらに下ケース１０の内方に後退した部分円筒面である。
【００２１】
図２（Ａ）（Ｂ）に示すように、掛止部１４からさらに上方に規制壁１７が立ち上がっている。規制壁１７は円筒壁である。規制壁１７には、下ケース１０側の規制構造部となる規制凹部１８が形成されている。規制凹部１８は、周方向に向けて９０度の角度間隔で４か所に形成されている。規制凹部１８は、周方向に所定角度の範囲で形成されており、上から見たときの時計方向の終端に連結側ストッパ１８ａが、反時計方向の終端に連結解除側ストッパ１８ｂが形成されている。図２（Ｂ）および図４（Ａ）に示すように、連結側ストッパ１８ａと連結解除側ストッパ１８ｂは、上に向かうにしたがって互いに離れる向き立ち上がる傾斜ストッパ部となっている。
【００２２】
図１と図２（Ａ）に示すように、下ケース１０は、規制壁１７で囲まれた領域の中央部が下向きに窪んでおり、この窪んだ部分が内容物の載置部１９となっている。
【００２３】
図３（Ａ）（Ｂ）に示すように、上ケース２０は、上方に大きく形成されたドーム状の覆い部２９を有している。下ケース１０の載置部１９に載せられたケーキや和菓子などの内容物（食品）は、上ケース２０の覆い部２９で覆われる。
【００２４】
上ケース２０の下端には、周囲方向に突出するフランジ部２１が形成されており、フランジ部２１の一部は、さらに外方向へ突出する突出部２２となっている。この突出部２２が、上ケース２０側の基準マークとして使用される。
【００２５】
図３（Ｂ）と図４（Ａ）に示すように、上ケース２０の下部では、フランジ部２１の上に装着円筒部２３が形成されている。下ケース１０に上ケース２０が載せられると、装着円筒部２３が、下ケース１０の案内円筒部１３の外周に装着される。
【００２６】
装着円筒部２３の上に掛止部２４が形成されている。掛止部２４は、装着円筒部２３の上に延びる円筒面から容器内部に向けて窪んだ部分に形成されている。嵌合部２５は周方向に等間隔に設けられており、周方向に向けて４５度の角度間隔で８か所に形成されている。それぞれの嵌合部２５は、上ケース２０の内側に向けて突出する嵌合凸部２５ａと、その上に位置して、嵌合凸部２５ａから装着円筒面２３に近い位置まで外側へ隆起する嵌合凹部２５ｂとを有している。
【００２７】
以上整理すると、図４（Ａ）（Ｂ）に示すように、下ケース１０側の嵌合部１５では、嵌合凸部１５ａが容器の外側に向けて凸形状で、嵌合凹部１５ｂは容器の外側から見たときに凹形状である。上ケース２０の嵌合部２５では、嵌合凸部２５ａが容器の内方に向けて凸形状であり、嵌合凹部２５ｂは、容器の内側から見たときに凹形状である。
【００２８】
図３（Ａ）（Ｂ）と図４に示すように、掛止部２４の上には、覆い部２９の外周面からさらに外周方向へ隆起する外周隆起部２７が形成されており、外周隆起部２７に、上ケース２０側の規制構造部となる規制凸部２８が形成されている。規制凸部２８は、周方向へ９０度の角度間隔で４か所に形成されている。規制凸部２８の周方向の両側の端部２８ａは、上方に向かうにしたがって間隔が徐々に広がる傾斜面となっている。
【００２９】
次に、下ケース１０と上ケース２０の組立工程を説明する。
ケーキや和菓子などの食品やその他の内容物を、下ケース１０の中央の載置部１９の上に載せる。
【００３０】
図４において組み合わせライン（ｉ）で示すように、上ケース２０側の基準マークである突出部２２の中央部を、下ケース１０側の基準マークである４か所の突出部１２のいずれかの中央部に一致させて、上ケース２０を下ケースに押し付ける。このとき、上ケース２０の装着円筒部２３が、下ケース１０の案内円筒部１３の外周面に導かれて、下ケース１０の中心と上ケース２０の中心が一致させられる。
【００３１】
突出部１２と突出部２２の中央部を一致させて、上ケース２０のフランジ部２１が、下ケース１０の台座部１１の上面１１ａに密着するまで、上ケース２０を下降させると、図４の組み合わせライン（ｉｉ）で示すように、上ケース２０側の規制構造部となる規制凸部２８が、下ケース１０側の規制構造部となる規制凹部１８の内部に入りこむ。このとき、規制凸部２８の一方の端部２８ａが、規制凹部１８の連結側ストッパ１８ａに当たり、または接近し、上ケース２０は、下ケース１０に対して上から見たときの時計方向（β方向）への回動が規制された連結位置となる。
【００３２】
フランジ部２１が台座部１１の上面１１ａに密着するまで、上ケース２０を下降させるときに、図４の組み合わせライン（ｉｉｉ）に示すように、上ケース２０側の嵌合部である嵌合凸部２５ａが、下ケース１０側の嵌合部である嵌合凸部１５ａに当たり、嵌合凸部２５ａと嵌合凸部１５ａの少なくとも一方が変形することで、嵌合凸部２５ａが嵌合凸部１５ａを通過する。そして、図４（Ｂ）に示すように、嵌合凸部２５ａが嵌合凹部１５ｂに入り込むことで、上ケース２０が下ケース１０から容易に外れないように連結される。
【００３３】
このように、上ケース２０側の基準マークである突出部２２の中心を、下ケース１０側の基準マークである突出部１２の中心に一致させて、上ケース２０を下ケース１０に押し付けるだけで、上ケース２０側の嵌合部２５と下ケース１０側の嵌合部１５とを互いに位置決めして嵌合させることができる。下ケース１０の突出部１２と上ケース２０の突出部２２を組み合わせ基準とすることで、組立作業が容易となり、組立作業の精度も高くなる。
【００３４】
次に、容器１の開封操作を説明する。
容器１の下ケース１０をテーブルの上面などに密着させて手で固定して、上ケース２０を上から見たときの反時計方向（α方向）へ回動させる。このとき、下ケース１０の４か所の突出部１２のうちの、上ケース２０の突出部２２が重ねられていない他の３か所の突出部１２のいずれかを指で押さえることで、下ケース１０をテーブルなどに確実に固定でき、上ケース２０をα方向へ回動させやすくなる。
【００３５】
上ケース２０をα方向へ回動させ、上ケース２９の規制凸部２８を、図４に示す組み合わせライン（ｉｖ）まで移動させると、上ケース２０は下ケース１０に対する連結解除位置となり、このとき、上ケース２０の嵌合部２５が、下ケース１０の嵌合解除部１６に一致する。その結果、上ケース２０を、上方向に静かに持ち上げて、下ケース１０から上ケース２０を分離させることが可能になる。上ケース２０を真上に静かに持ち上げることができるため、上ケースの覆い部２９や下端部が、下ケース１０上のケーキの表面やケーキのデコレーションや柔らかい和菓子に当たることが生じにくくなり、内容物の食品に損傷を与えることが起きにくくなる。
【００３６】
下ケース１０を固定した状態で上ケース２０をα方向へ回動させると、上ケース２０の規制凸部２８が、下ケース１０の規制凹部１８の連結解除側ストッパ１８ｂに当たり、このとき、上ケース２０の嵌合部２５と下ケース１０の嵌合部１５との嵌合が外れる。よって、使用者は上ケース２０をα方向へ回動させ、その回動が規制されたら持ち上げることで、嵌合部を確実に解除することができる。したがって、上ケース２０をα方向へ回動させたときに、嵌合部２５が嵌合部１５から外れた後に、その嵌合部２５が次に並ぶ嵌合部１５に嵌合するようなことはなく、嵌合部を確実に解除させて上ケース２０を持ち上げることができる。
【００３７】
なお、上ケース２０をα方向へ回動させ、規制凸部２８が、下ケース１０の規制凹部１８の連結解除側ストッパ１８ｂに当たった後に、さらに上ケース２０を強引にα方向へ回動させたときには、規制凸部２８の傾斜している端部２８ａが、傾斜している連結解除側ストッパ１８ｂを滑ることで、上ケース２０を持ち上げるように導くことができる。よって、嵌合部の嵌合を確実に解除させて、上ケース２０を持ち上げることができる。
【００３８】
なお、前記実施の形態では、規制構造部として下ケース１０に規制凹部１８が、上ケース２０に規制凸部２８が設けられているが、これとは逆で、下ケース１０に規制凹部１８が形成され、下ケース１０に規制凸部２８が形成されていてもよい。
【００３９】
また、下ケース１０と上ケース２０に設けられる基準マークは、突出部１２と突出部２２に限られるものではなく、下ケース１０と上ケース２０に隆起形成された丸や三角や直線あるいは矢印などのマークであってもよい。あるいは印刷されたマークやラベルであってもよい。
【符号の説明】
【００４０】
１  容器
１０  下ケース
１１  台座部
１２  突出部（基準マーク）
１５  嵌合部
１５ａ  嵌合凸部
１５ｂ  嵌合凹部
１６  嵌合解除部
１８  規制凹部
１８ａ  連結側ストッパ
１８ｂ  連結解除側ストッパ
２０  上ケース
２２  突出部（基準マーク）
２５  嵌合部
２５ａ  嵌合凸部
２５ｂ  嵌合凹部
２８  規制凸部
【図１】
2018090296.tif 000003
【図２】
2018090296.tif 000004
【図３】
2018090296.tif 000005
【図４】
2018090296.tif 000006